(57)【要約】【課題】光源を所望の輝度で点灯させることができる表示装置を提供する。【解決手段】ＨＵＤ装置は、給電部３００と、給電部３００からの電流Ｉを受けて発光する複数の光源１１と、電流Ｉにより電荷が蓄えられるインダクタと、光を視認者に到達する方向に反射するオン状態と光を視認者に到達しない方向に反射するオフ状態との間で切り替わる複数のマイクロミラーを有する表示素子３０と、光源１１のうち選択した一つの光源を発光させ、サブフレーム毎に選択した一つの光源を順次切り替えるフィールドシーケンシャル方式にて照明光を生成するとともにマイクロミラーを通じて照明光のうち表示画像に対応した光を反射させる第１及び第２の制御部１００，２００と、を備える。第１及び第２の制御部１００，２００は、サブフレームに移行する前に、マイクロミラーをオフ状態にしつつ光源１１に電流Ｉを供給することでインダクタの電荷を放出する電荷放出処理を行う。【選択図】図４
2017167272.tif 000002
【特許請求の範囲】
【請求項１】
電流を供給する給電部と、
前記給電部からの電流を受けて、それぞれ異なる色の光を発する複数の光源と、
前記各光源に電流が供給される際に、前記電流により電荷が蓄えられる電荷部と、
前記光を視認者に到達する方向に反射するオン状態と前記光を視認者に到達しない方向に反射するオフ状態との間で切り替わる複数の反射部を有する表示素子と、
前記複数の光源のうち選択した一つの光源に前記給電部からの電流を供給することで前記選択した一つの光源を発光させ、制御周期であるフレームを構成するサブフレーム毎に前記選択した一つの光源を順次切り替えるフィールドシーケンシャル方式にて前記複数の光源から発される光から所望の色の照明光を生成するとともに、前記反射部を通じて前記照明光のうち表示画像に対応した光を反射させる制御部と、を備えた表示装置であって、
前記制御部は、前記選択した一つの光源を発光させるための前記サブフレームに移行する前に、前記反射部を前記オフ状態にしつつ、前記複数の光源のうち少なくとも何れか一つに電流を供給することで前記電荷部に蓄えられた前記電荷を放出する電荷放出処理を行う、
ことを特徴とする表示装置。
【請求項２】
前記制御部は、前記表示画像において要求される輝度が低くなるにつれて、前記サブフレームにおける前記選択した一つの光源に電流を供給する給電期間を短くなるように調整し、前記輝度が閾値以下となった場合に、前記サブフレームのうち前記給電期間が終了した後のブランク期間に前記電荷放出処理を行う、
ことを特徴とする請求項１に記載の表示装置。
【請求項３】
前記制御部は、
非表示期間とともに前記フレームを構成する表示期間においては、前記表示素子の前記反射部を前記オン状態及び前記オフ状態の間で切り替えつつ前記光源を順次発光させることで前記表示画像を生成し、
前記非表示期間においては、前記反射部を前記オン状態及び前記オフ状態の間で切り替えつつ前記光源を消灯し、前記表示期間において前記電荷放出処理により前記反射部を前記オン状態から前記オフ状態に切り替えた期間だけ前記非表示期間に前記反射部を前記オン状態とする期間を追加する、
ことを特徴とする請求項１又は２に記載の表示装置。
【請求項４】
前記制御部は、前記サブフレームである第１のサブフレームにおいて前記複数の光源のうち第１の光源を点灯させ、前記第１のサブフレームの次の前記サブフレームである第２のサブフレームにおいて前記複数の光源のうち第２の光源を点灯させ、前記第１のサブフレームにおける前記電荷放出処理により前記第２の光源に電流を供給する、
ことを特徴とする請求項１から３の何れか一項に記載の表示装置。
【発明の詳細な説明】
【技術分野】
【０００１】
本発明は、表示装置に関する。
【背景技術】
【０００２】
従来から表示装置として、例えば、表示素子であるＤＭＤ（Digital Micro-mirror Device）が設けられた構成が知られている。この種の表示装置は、ＤＭＤが有する複数のマイクロミラーにて照明光を反射させることで画像光を生成する。例えば、特許文献１に記載の表示装置は、それぞれ赤色、緑色及び青色の光を発する３つの光源のうち何れか一つを選択的に発光させ、発光する光源を高速で切り替えることで所望の色の照明光を生成する、いわゆるフィールドシーケンシャル方式により動作する。
より具体的には、図１２に示すように、この種の表示装置においては、表示期間Ｆａと非表示期間Ｆｂとが交互に繰り返される。表示期間Ｆａにおいては、表示素子及び光源の駆動を通じて画像が生成される。非表示期間Ｆｂにおいては、全ての光源が消灯されるとともに、ＤＭＤのマイクロミラーの故障を抑制するようにマイクロミラーが駆動される。また、この表示装置は、図１２に示すように、高い光源の輝度が要求される際、各光源に高輝度用の電流Ｉｈを供給する。一方、この表示装置は、図１３に示すように、低い光源の輝度が要求される際、各光源に上記電流Ｉｈより小さい低輝度用の電流Ｉｌを供給する。
【０００３】
また、この種の表示装置は、例えば、特許文献２に記載されるように、逆起電力発生用のコイルと、電流方向を制御し、コイルに生じた逆起電力を光源に供給するためのダイオードと、を備える。
【先行技術文献】
【特許文献】
【０００４】
【特許文献１】特開２０１４−０１０４１７号公報
【特許文献２】特開２０１４−１０７４４０号公報
【発明の概要】
【発明が解決しようとする課題】
【０００５】
上記特許文献２に記載の構成においては、フィールドシーケンシャル方式にて選択された第１の光源に電流が供給される際、その電流により第１の光源に対応する第１のコイルに電荷が蓄えられる。その状態で、次に第２の光源に電流が供給された場合、その電流に第１のコイルに蓄えられた電荷が重畳する。これにより、図１２に示すように、各光源への電流供給開始時ｔ１，ｔ２，ｔ３…において、各光源へ供給される電流ＩｈにノイズとしてリップルＲｐが重畳する。このリップルＲｐが重畳することで、所望の輝度より高い輝度にて光源が点灯されるおそれがあり、ひいては、表示装置における階調表示に影響が生じるおそれがある。特に、図１３に示すように、低い光源の輝度が要求される場合、各光源へ供給される電流Ｉｌが小さくなるため、その電流Ｉｌに対してリップルＲｐが占める割合が大きくなる。このため、特に、光源の輝度が低い場合には、リップルＲｐが光源の輝度に与える影響が大きくなる。
【０００６】
本発明は、上記実状を鑑みてなされたものであり、光源を所望の輝度で点灯させることができる表示装置を提供することを目的とする。
【課題を解決するための手段】
【０００７】
上記目的を達成するため、本発明に係る表示装置は、電流を供給する給電部と、前記給電部からの電流を受けて、それぞれ異なる色の光を発する複数の光源と、前記各光源に電流が供給される際に、前記電流により電荷が蓄えられる電荷部と、前記光を視認者に到達する方向に反射するオン状態と前記光を視認者に到達しない方向に反射するオフ状態との間で切り替わる複数の反射部を有する表示素子と、前記複数の光源のうち選択した一つの光源に前記給電部からの電流を供給することで前記選択した一つの光源を発光させ、制御周期であるフレームを構成するサブフレーム毎に前記選択した一つの光源を順次切り替えるフィールドシーケンシャル方式にて前記複数の光源から発される光から所望の色の照明光を生成するとともに、前記反射部を通じて前記照明光のうち表示画像に対応した光を反射させる制御部と、を備えた表示装置であって、前記制御部は、前記選択した一つの光源を発光させるための前記サブフレームに移行する前に、前記反射部を前記オフ状態にしつつ、前記複数の光源のうち少なくとも何れか一つに電流を供給することで前記電荷部に蓄えられた前記電荷を放出する電荷放出処理を行う。
【発明の効果】
【０００８】
本発明によれば、光源を所望の輝度で点灯させることができる。
【図面の簡単な説明】
【０００９】
【図１】本発明の一実施形態に係るヘッドアップディスプレイ装置が搭載された車両の模式図である。
【図２】本発明の一実施形態に係るヘッドアップディスプレイ装置の構成を示す概略図である。
【図３】本発明の一実施形態に係る照明装置の構成を示す概略図である。
【図４】本発明の一実施形態に係る光源駆動装置の電気的構成を示すブロック図である。
【図５】本発明の一実施形態に係る論理回路の電気的構成を示すブロック図である。
【図６】本発明の一実施形態に係る光源駆動回路の構成を示す電気的構成を示す回路図である。
【図７】本発明の一実施形態に係る（ａ）〜（ｆ）は、高輝度モードである場合のサブフレームにおける各種信号と駆動電流を示すタイミングチャートである。
【図８】本発明の一実施形態に係る（ａ）〜（ｆ）は、低輝度モードである場合のサブフレームにおける各種信号と駆動電流を示すタイミングチャートである。
【図９】本発明の一実施形態に係る（ａ）は表示期間における第２の制御部の処理手順を示すフローチャートであり、（ｂ）は低輝度モードにおける第２の制御部の処理手順を示すフローチャートである。
【図１０】本発明の一実施形態に係る表示素子の状態と各光源に供給される電流を示すタイミングチャートである。
【図１１】本発明の一実施形態に係る（ａ）〜（ｅ）は、表示期間における表示素子の状態と各種信号を示すタイミングチャートである。
【図１２】背景技術に係る高輝度時における表示素子の状態と各光源に供給される電流を示すタイミングチャートである。
【図１３】背景技術に係る低輝度時における表示素子の状態と各光源に供給される電流を示すタイミングチャートである。
【発明を実施するための形態】
【００１０】
本発明に係る表示装置をヘッドアップディスプレイ装置（以下、ＨＵＤ装置と記載）に具体化した一実施形態について図面を参照して説明する。
【００１１】
図１に示すように、ＨＵＤ装置１は、車両２のダッシュボードに設置され、画像Ｍ（図２参照）を表す表示光Ｌを生成し、生成した表示光Ｌをウインドシールド３に向けて出射する。この表示光Ｌは、ウインドシールド３で反射したうえで視認者４（主に、車両２の運転者）に到達する。これにより、視認者４は、ウインドシールド３の前方に形成された画像Ｍを表す虚像Ｖを視認可能となる。画像Ｍには、車両２に関する情報が表示される。
【００１２】
（ＨＵＤ装置１の構成）
図２に示すように、ＨＵＤ装置１は、照明装置１０と、光強度検出部５００と、照明光学系２０と、表示素子３０と、光源駆動装置５と、投射光学系４０と、スクリーン５０と、平面鏡６１と、凹面鏡６２と、筐体７０と、透光部７１と、備える。
【００１３】
筐体７０は、例えば、遮光性の材質により箱状に形成されている。筐体７０内には、照明装置１０、照明光学系２０等のＨＵＤ装置１の各構成が収納される。筐体７０には、表示光Ｌが通過する開口部７０ａが形成されている。
透光部７１は、アクリル等の透光性樹脂からなり、筐体７０の開口部７０ａを塞ぐように設けられている。透光部７１は、到達した外光が視認者４に向かって反射することを抑制するため、例えば湾曲形状に形成されている。
【００１４】
照明装置１０は、照明光Ｃを生成し、その生成した照明光Ｃを照明光学系２０に向けて出射する。具体的には、照明装置１０は、図３に示すように、光源１１と、回路基板１２と、合波部１３と、輝度ムラ低減部１４と、透過膜１５と、を備える。
【００１５】
光源１１は、例えば、それぞれＬＥＤ（Light Emitting Diode）からなる３つの光源１１ｒ，１１ｇ，１１ｂから構成されている。光源１１ｒは赤色光Ｒを発し、光源１１ｇは緑色光Ｇを発し、光源１１ｂは青色光Ｂを発する。光源１１ｒ，１１ｇ，１１ｂの各々は、後述するように光源駆動装置５によって駆動され、所定の光強度及びタイミングで発光する。
【００１６】
回路基板１２は、プリント回路板からなる。回路基板１２には、光源１１ｒ，１１ｇ，１１ｂが実装されている。
【００１７】
合波部１３は、光源１１ｒ，１１ｇ，１１ｂから順次出射される赤色光Ｒ、緑色光Ｇ又は青色光Ｂの光軸を合わせることで照明光Ｃを生成し、その照明光Ｃを輝度ムラ低減部１４に向けて出射する。
具体的には、合波部１３は、反射ミラー１３ａと、特定の波長の光を反射し、かつ、当該特定の波長以外のその他の波長の光を透過するダイクロイックミラー１３ｂ，１３ｃと、から構成されている。反射ミラー１３ａは、光源１１ｂの出射側に位置する。反射ミラー１３ａは、入射した青色光Ｂを、ダイクロイックミラー１３ｂに向けて反射させる。ダイクロイックミラー１３ｂは、光源１１ｇの出射側に位置する。ダイクロイックミラー１３ｂは、入射した緑色光Ｇをダイクロイックミラー１３ｃに向けて反射させつつ、反射ミラー１３ａからの青色光Ｂをそのまま透過させる。ダイクロイックミラー１３ｃは、光源１１ｒの出射側に位置する。ダイクロイックミラー１３ｃは、入射した赤色光Ｒを輝度ムラ低減部１４に向けて反射させつつ、ダイクロイックミラー１３ｂからの光Ｂ，Ｇをそのまま透過させる。
【００１８】
輝度ムラ低減部１４は、ミラーボックス、アレイレンズ等からなり、合波部１３からの照明光Ｃを乱反射、散乱、屈折させることで光のムラを低減する。
【００１９】
透過膜１５は、例えば５％程度の反射率を有する透過性部材からなり、輝度ムラ低減部１４を介して到達した照明光Ｃの大部分をそのまま透過させるが、一部の光を光強度検出部５００に向けて反射させる。
【００２０】
光強度検出部５００は、例えばフォトダイオードを有する受光素子からなり、透過膜１５で反射した照明光Ｃを受ける位置に設けられている。光強度検出部５００は、照明光Ｃの一部を受光し、照明光Ｃを構成する光Ｒ、Ｇ、Ｂそれぞれの光強度を時分割で検出し、その検出結果を光源駆動装置５に出力する。
【００２１】
照明光学系２０は、図２に示すように、凹状のレンズ等からなり、照明装置１０から出射された照明光Ｃを表示素子３０に対応した大きさに調整する。
【００２２】
表示素子３０は、反射部の一例である複数の可動式のマイクロミラー３０ａを備えたＤＭＤからなる。このマイクロミラー３０ａは、図示しない電極を備え、この電極に印加される電圧値を切り替えることでオン状態／オフ状態の何れかの状態となる。マイクロミラー３０ａがオン状態のとき、マイクロミラー３０ａは、ヒンジを支点に例えば＋１２度傾斜した姿勢を取って、このとき照明光学系２０から出射された照明光Ｃを、投射光学系４０を経てスクリーン５０に向けて反射する。マイクロミラー３０ａがオフ状態のときは、マイクロミラー３０ａは、ヒンジを支点に例えば−１２度傾斜した姿勢を取って、このとき照明光Ｃを投射光学系４０とは異なる方向に反射する。従って、表示素子３０は、光源駆動装置５（具体的には後述する第２の制御部２００）による制御のもと、各マイクロミラー３０ａを個別に駆動することにより、照明光Ｃのうち画像Ｍに対応する光のみを投射光学系４０に向けて投射する。
【００２３】
投射光学系４０は、凹レンズ又は凸レンズ等で構成され、表示素子３０からの表示光Ｌをスクリーン５０に効率良く投射する。
【００２４】
スクリーン５０は、ホログラフィックディフューザ、マイクロレンズアレイ、拡散板等から構成され、投射光学系４０からの表示光Ｌを背面（図２の下側の面）で受光し、前面（図２の上側の面）に画像Ｍを表示する。
【００２５】
平面鏡６１は、スクリーン５０に表示された画像Ｍを表す表示光Ｌを、凹面鏡６２に向けて反射させる。
凹面鏡６２は、平面鏡６１からの表示光Ｌをウインドシールド３に向けて反射する。この表示光Ｌは、筐体７０の透光部７１を透過したうえでウインドシールド３に到達する。これにより、結像される虚像Ｖは、スクリーン５０に表示された画像Ｍよりも拡大される。
【００２６】
（光源駆動装置５の構成）
光源駆動装置５は、図４に示すように、光源１１に電流Ｉを供給する給電部３００と、光源１１を駆動させる光源駆動部４００と、光源１１の発光タイミングと同期をとりつつ表示素子３０を制御する第２の制御部２００と、光源駆動部４００及び第２の制御部２００を制御する第１の制御部１００と、を備える。光源駆動装置５の各構成は、例えば、筐体７０内に配設された回路基板１２以外のプリント回路基板（図示せず）に実装されている。なお、回路基板１２上に光源駆動装置５の一部又は全部の構成が実装されていてもよい。第１及び第２の制御部１００，２００は制御部の一例である。
【００２７】
光源駆動装置５は、図１０に示すように、画像Ｍを表示する制御周期であるフレームＦ毎に制御を行う。フレームＦは、表示期間Ｆａ及び非表示期間Ｆｂを備える。光源駆動装置５は、表示期間Ｆａにおいては、画像Ｍを生成するように、表示素子３０の各マイクロミラー３０ａ及び光源１１を駆動させる。具体的には、光源駆動装置５は、表示期間Ｆａにおいては、サブフレームＦｓ毎に異なる光源１１ｒ，１１ｇ，１１ｂに電流Ｉ（ＩＲ，ＩＧ，ＩＢ）が供給されることで光源１１ｒ，１１ｇ，１１ｂを順次点灯させるフィールドシーケンシャル方式により光源１１を駆動する。また、光源駆動装置５は、非表示期間Ｆｂにおいては、光源１１ｒ，１１ｇ，１１ｂを全て消灯し、フレームＦにおけるマイクロミラー３０ａのオン期間とオフ期間とが略同一となるように表示素子３０のマイクロミラー３０ａを駆動させる。これにより、表示素子３０の各マイクロミラー３０ａが故障することが抑制される。
【００２８】
第１の制御部１００は、ＣＰＵ（中央処理装置）、メモリ等を備えるマイクロコントローラからなる。図４に示すように、第１の制御部１００には、車両２に搭載される車両ＥＣＵ（Electronic Control Unit）６から、ＬＶＤＳ（Low Voltage Differential Signal）通信等によって、画像Ｍを表示するための映像信号が入力される。
第１の制御部１００は、入力された映像信号を図示しない画像処理ＩＣ（Integrated Circuit）などを経由させて第２の制御部２００に出力する。なお、車両ＥＣＵ６からの映像信号は、第１の制御部１００を経由せずに、第２の制御部２００に、図示しない画像処理ＩＣなどを経由して、直接入力されてもよい。
また、第１の制御部１００は、この映像信号の要求する表示画像Ｍを表示素子３０に表示させるための表示制御データと、この表示制御データに基づく表示素子３０の駆動に合わせて、光源１１ｒ，１１ｇ，１１ｂを駆動させる照明制御データと、を第２の制御部２００に出力する。
また、第１の制御部１００には、車両２に搭載される照度センサ７を通じて検出された車両２の周辺の外部照度信号（調光信号）ＳＬが車両ＥＣＵ６を介して入力される。
【００２９】
第１の制御部１００は、外部照度信号ＳＬに応じて光源駆動部４００を介して光源１１の発光強度（輝度）を調整する。第１の制御部１００は、光源１１の発光強度を調整するべく、車両ＥＣＵ６からの外部照度信号ＳＬに基づき閾値となる基準信号ＳＡを生成し、その基準信号ＳＡを光源駆動部４００（正確には後述する比較回路４１０）に出力する。より具体的には、例えば、第１の制御部１００は、自身の不揮発性のメモリに記憶される外部照度信号ＳＬが示す強度値と設定値とを対応づけたテーブルデータを参照することで、車両ＥＣＵ６からの外部照度信号ＳＬが示す強度値に対応した設定値を取得する。そして、第１の制御部１００は、取得した設定値に応じたデューティー比のパルス信号を出力し、このパルス信号を積分回路からなるアナログ変換器（図示略）によりアナログ信号に変換し、このアナログ信号を基準信号ＳＡとして光源駆動部４００に出力する。第１の制御部１００は、光源１１ｒ，１１ｇ，１１ｂのうち選択された一つを発光させる期間であるサブフレームＦｓ（図７、図８参照）毎に電圧値の異なる基準信号ＳＡを出力する。具体的には、第１の制御部１００は、赤色光源１１ｒが発光するサブフレームＦｓと、緑色光源１１ｇが発光するサブフレームＦｓと、青色光源１１ｂが発光するサブフレームＦｓとで異なる電圧値の基準信号ＳＡを出力する。
【００３０】
第２の制御部２００は、所望の機能をハードウェアで実現するＬＳＩ（Large Scale Integration）であり、例えば、ＡＳＩＣ（Application Specific Integrated Circuit）やＦＰＧＡ（Field Programmable Gate Array）などから構成されている。
【００３１】
第２の制御部２００は、第１の制御部１００による制御のもと、光源駆動部４００（正確には、後述する論理回路４２０）に制限信号ＳＣを出力する。制限信号ＳＣは、図７（ｄ）又は図８（ｄ）に示すように、光源１１の点灯を許可する旨を示すオン、及び光源１１の点灯を禁止する旨を示すオフの何れかの状態にある。
第１の制御部１００は、第２の制御部２００を介して、外部照度信号ＳＬの値に基づきサブフレームＦｓにおける制限信号ＳＣのオンデューティ比を設定し、その設定したオンデューティ比の制限信号ＳＣを出力する。オンデューティ比は、サブフレームＦｓにおける制限信号ＳＣのオン期間Ｔｏｎが占める割合である。オンデューティ比が高いほどサブフレームＦｓにおけるオフ期間Ｔｏｆが短くなる。
例えば、第１の制御部１００は、車両ＥＣＵ６から外部照度信号ＳＬを取得し、その取得した外部照度信号ＳＬが閾値未満である場合（後述する低輝度モードの場合）、図８（ｄ）に示すように、第２の制御部２００からオンデューティ比が低い制限信号ＳＣ１を出力させる。一方、第１の制御部１００は、その取得した外部照度信号ＳＬが閾値以上である場合（後述する高輝度モードの場合）、図７（ｄ）に示すように、第２の制御部２００からオンデューティ比が高い制限信号ＳＣ２を出力させる。制限信号ＳＣのオン時間Ｔｏｎは光源１１に給電される給電期間に相当する。
【００３２】
図４に示すように、第２の制御部２００は、第１の制御部１００からの表示制御データに基づき、表示素子３０における各マイクロミラー３０ａをＰＷＭ（Pulse Width Modulation）方式によりオン／オフ制御する。
第２の制御部２００は、第１の制御部１００からの照明制御データに応じて光源１１の発光タイミングを制御するイネーブル信号ＥＮ（Ｒ−ＥＮ，Ｇ−ＥＮ，Ｂ−ＥＮ）を生成し、その生成したイネーブル信号ＥＮを光源駆動部４００（正確には、後述する論理回路４２０）に出力する。第２の制御部２００は、イネーブル信号ＥＮとして、光源１１ｒに対応する赤色イネーブル信号Ｒ−ＥＮと、光源１１ｇに対応する緑色イネーブル信号Ｇ−ＥＮと、光源１１ｂに対応する青色イネーブル信号Ｂ−ＥＮと、をそれぞれ異なるサブフレームＦｓにて出力する。イネーブル信号Ｒ−ＥＮ，Ｇ−ＥＮ，Ｂ−ＥＮは、図７（ａ）又は図８（ａ）に示すように、対応する光源１１の点灯を許可する旨を示すオン、及び対応する光源１１の点灯を禁止する旨を示すオフの何れかの状態にある。第２の制御部２００は、イネーブル信号ＥＮの出力を通じて、光源１１の発光タイミングを、表示素子３０を通じた画像制御に同期させる。
【００３３】
また、第２の制御部２００は、図８（ａ）に示すように、後述する低輝度モードにあるとき、各サブフレームＦｓにおいて、全てのイネーブル信号Ｒ−ＥＮ，Ｇ−ＥＮ，Ｂ−ＥＮをオフするブランク期間Ｔｂｌを設定する。ブランク期間Ｔｂｌは、図８（ｄ）に示すように、各サブフレームＦｓの終了時刻に終了するように設定され、制限信号ＳＣ１のオフ時間Ｔｏｆと同一期間に設定されている。なお、第１の制御部１００がイネーブル信号ＥＮ（Ｒ−ＥＮ，Ｇ−ＥＮ，Ｂ−ＥＮ）を生成し、その生成したイネーブル信号ＥＮを第２の制御部２００を介さずに光源駆動部４００（後述する論理回路４２０）に出力してもよい。
【００３４】
第２の制御部２００は、図４及び図１１（ｄ）に示すように、ブランク期間Ｔｂｌにおいて、光源１１の発光を指示する強制発光信号ＳＧ（赤色強制発光信号ＳＧＲ、緑色強制発光信号ＳＧＧ及び青色強制発光信号ＳＧＢ）を光源駆動部４００（正確には、後述する論理回路４２０）に出力する。
【００３５】
光源駆動部４００は、図４に示すように、所望の機能をハードウェアで実現するＬＳＩであり、例えば、第２の制御部２００とは独立したＡＳＩＣやＦＰＧＡ、またはアナログ回路から構成されている。
光源駆動部４００は、基準信号ＳＡと光強度検出信号ＳＦＢとの比較を行う比較回路４１０と、光源１１ｒ，１１ｇ，１１ｂを点灯又は消灯させるスイッチ部４３１，４３２，４３３からなる光源駆動回路４３０と、スイッチ部４３１，４３２，４３３を制御する駆動信号ＳＤを出力する論理回路４２０と、を備える。
簡単に説明すると、光源駆動部４００は、照明光Ｃの光強度に基づく光強度検出信号ＳＦＢを受けて、この光強度検出信号ＳＦＢから光源１１を駆動するための駆動信号ＳＤを生成し、この駆動信号ＳＤに基づきスイッチ部４３１，４３２，４３３をオン又はオフさせることで光源１１を点灯又は消灯させる。
【００３６】
詳しくは、比較回路４１０は、比較器からなり、光強度検出部５００からの光強度検出信号ＳＦＢと第１の制御部１００からの基準信号ＳＡとの比較を行い、比較結果として比較信号ＳＢを論理回路４２０及び第２の制御部２００に出力する。
より詳しくは、比較回路４１０は、図７（ｂ），（ｃ）に示すように、光強度検出信号ＳＦＢが基準信号ＳＡを超えたとき比較信号ＳＢをオフとする。制限信号ＳＣがオンにある場合に、比較信号ＳＢがオフとなると、図７（ｆ）に示すように、光源１１に流れる電流Ｉ（図中の電流ＩＲ）が低下するため、これにより、光源１１の発光強度のフィードバックデータである光強度検出信号ＳＦＢが基準信号ＳＡ未満となるまで減少する。
また、比較回路４１０は、図７（ｂ），（ｃ）に示すように、光強度検出信号ＳＦＢが基準信号ＳＡ以下であるとき比較信号ＳＢをオンとする。制限信号ＳＣがオンにある場合に、比較信号ＳＢがオンとなると、図７（ｆ）に示すように、光源１１に流れる電流Ｉ（図中の電流ＩＲ）が増加するため、これにより、光源１１の発光強度のフィードバックデータである光強度検出信号ＳＦＢが基準信号ＳＡを超えるまで増加する。
このように、光強度検出信号ＳＦＢが基準信号ＳＡ以下となったり、光強度検出信号ＳＦＢが基準信号ＳＡを超えたりを繰り返すことで、比較回路４１０は、オンとオフを繰り返すパルス信号である比較信号ＳＢを生成する。
なお、光強度検出部５００と比較回路４１０との間には、図示しない増幅回路が設けられており、光強度検出信号ＳＦＢは、この増幅回路により増幅された上で比較回路４１０に入力されてもよい。この増幅回路は、上述したように、第１の制御部１００が、車両ＥＣＵ６から入力される外部照度信号ＳＬに応じてゲインを決定する。
【００３７】
論理回路４２０は、制限信号ＳＣ、イネーブル信号ＥＮ、比較信号ＳＢ及び強制発光信号ＳＧを受けて、それら信号ＳＣ，ＥＮ，ＳＢ，ＳＧに基づき、光源１１ｒ，１１ｇ，１１ｂに対応するスイッチ部４３１，４３２，４３３をオン又はオフする。
具体的には、論理回路４２０は、図５に示すように、第一ＡＮＤ回路４２１と、赤色ＡＮＤ回路４２２と、緑色ＡＮＤ回路４２３と、青色ＡＮＤ回路４２４と、赤色ＯＲ回路４２５と、緑色ＯＲ回路４２６と、青色ＯＲ回路４２７と、を備える。
【００３８】
第一ＡＮＤ回路４２１は、第２の制御部２００からの制限信号ＳＣと比較回路４１０からの比較信号ＳＢとを入力し、制限信号ＳＣ及び比較信号ＳＢのＡＮＤ信号である駆動信号ＳＤ１を各ＡＮＤ回路４２２，４２３，４２４に出力する。すなわち、第一ＡＮＤ回路４２１は、図８（ｃ）〜（ｅ）に示すように、制限信号ＳＣがオンとなるオン時間Ｔｏｎにおいては、比較信号ＳＢと略同一の波形の駆動信号ＳＤ１を出力する。
【００３９】
赤色ＡＮＤ回路４２２は、図５に示すように、第２の制御部２００からの赤色イネーブル信号Ｒ−ＥＮと第一ＡＮＤ回路４２１からの駆動信号ＳＤ１とを入力し、赤色イネーブル信号Ｒ−ＥＮ及び駆動信号ＳＤ１のＡＮＤ信号である赤色駆動信号ＳＤ２Ｒを赤色ＯＲ回路４２５に出力する。
緑色ＡＮＤ回路４２３は、第２の制御部２００からの緑色イネーブル信号Ｇ−ＥＮと第一ＡＮＤ回路４２１からの駆動信号ＳＤ１とを入力し、緑色イネーブル信号Ｇ−ＥＮ及び駆動信号ＳＤ１のＡＮＤ信号である緑色駆動信号ＳＤ２Ｇを緑色ＯＲ回路４２６に出力する。
青色ＡＮＤ回路４２４は、第２の制御部２００からの青色イネーブル信号Ｂ−ＥＮと第一ＡＮＤ回路４２１からの駆動信号ＳＤ１とを入力し、青色イネーブル信号Ｂ−ＥＮ及び駆動信号ＳＤ１のＡＮＤ信号である青色駆動信号ＳＤ２Ｂを青色ＯＲ回路４２７に出力する。
すなわち、各ＡＮＤ回路４２２，４２３，４２４は、イネーブル信号Ｒ−ＥＮ，Ｇ−ＥＮ，Ｂ−ＥＮ及び駆動信号ＳＤ１の両方がオン状態のときにオン状態の駆動信号ＳＤ２Ｒ，ＳＤ２Ｇ，ＳＤ２Ｂを出力し、イネーブル信号Ｒ−ＥＮ，Ｇ−ＥＮ，Ｂ−ＥＮ及び駆動信号ＳＤ１の少なくとも何れかがオフ状態にあるときオフ状態の駆動信号ＳＤ２Ｒ，ＳＤ２Ｇ，ＳＤ２Ｂを出力する。
【００４０】
赤色ＯＲ回路４２５は、赤色ＡＮＤ回路４２２からの赤色駆動信号ＳＤ２Ｒと第２の制御部２００からの赤色強制発光信号ＳＧＲとを入力し、赤色駆動信号ＳＤ２Ｒ及び赤色強制発光信号ＳＧＲのＯＲ信号である駆動信号ＳＤＲをスイッチ部４３１に出力する。
緑色ＯＲ回路４２６は、緑色ＡＮＤ回路４２３からの緑色駆動信号ＳＤ２Ｇと第２の制御部２００からの緑色強制発光信号ＳＧＧとを入力し、緑色駆動信号ＳＤ２Ｇ及び緑色強制発光信号ＳＧＧのＯＲ信号である駆動信号ＳＤＧをスイッチ部４３２に出力する。
青色ＯＲ回路４２７は、青色ＡＮＤ回路４２４からの青色駆動信号ＳＤ２Ｂと第２の制御部２００からの青色強制発光信号ＳＧＢとを入力し、青色駆動信号ＳＤ２Ｂ及び青色強制発光信号ＳＧＢのＯＲ信号である駆動信号ＳＤＢをスイッチ部４３３に出力する。
すなわち、各ＯＲ回路４２５，４２６，４２７は各駆動信号ＳＤ２Ｒ，ＳＤ２Ｇ，ＳＤ２Ｂ及び強制発光信号ＳＧＲ，ＳＧＧ，ＳＧＢの少なくとも何れかがオン状態にあるときオン状態の駆動信号ＳＤＢを出力し、各駆動信号ＳＤ２Ｒ，ＳＤ２Ｇ，ＳＤ２Ｂ及び強制発光信号ＳＧＲ，ＳＧＧ，ＳＧＢの両方がオフ状態にあるときオフ状態の駆動信号ＳＤＢを出力する。
【００４１】
給電部３００は、図４に示すように、電源ＩＣ（Integrated Circuit）、トランジスタを用いたスイッチング回路等からなる。給電部３００は、各光源１１ｒ，１１ｇ，１１ｂのアノード側に接続されている。給電部３００は、車両２のバッテリー（図示略）からの電力を受けて、第１の制御部１００による制御のもとで光源１１ｒ，１１ｇ，１１ｂに適切な電圧を生成し、その電圧を光源１１ｒ，１１ｇ，１１ｂに印加することで
光源１１ｒ，１１ｇ，１１ｂに電流ＩＲ，ＩＧ，ＩＢを供給する。
【００４２】
スイッチ部４３１，４３２，４３３は、例えば、ｎ型チャネルのＦＥＴ（Field Effect Transistor）を用いたスイッチング素子からなる。スイッチ部４３１，４３２，４３３は、論理回路４２０からの駆動信号ＳＤＲ，ＳＤＧ，ＳＤＢに応じてオン状態又はオフ状態に切り替わる。
図６に示すように、各スイッチ部４３１，４３２，４３３のソース端子は対応する光源１１ｒ，１１ｇ，１１ｂのカソード側に接続され、各スイッチ部４３１，４３２，４３３のドレイン端子はグランドに接続される。スイッチ部４３１，４３２，４３３のゲート端子はそれぞれ論理回路４２０のＯＲ回路４２５，４２６，４２７に接続される。赤色スイッチ部４３１は、赤色ＯＲ回路４２５からの赤色駆動信号ＳＤＲがオンのときにオン状態となる。赤色スイッチ部４３１がオン状態にあるとき、給電部３００から赤色光源１１ｒに電流ＩＲが供給され、これにより赤色光源１１ｒは赤色光Ｒを発する。また、赤色スイッチ部４３１は、赤色ＯＲ回路４２５からの赤色駆動信号ＳＤＲがオフのときにオフ状態となる。赤色スイッチ部４３１がオフ状態にあるとき赤色光源１１ｒは消灯状態となる。これと同様に、緑色スイッチ部４３２及び青色スイッチ部４３３についても、緑色駆動信号ＳＤＧ及び青色駆動信号ＳＤＢのオン又はオフに応じて緑色光源１１ｇ及び青色光源１１ｂを点灯又は消灯する。
【００４３】
例えば、図７（ｅ）に示すように、所定のサブフレームＦｓにおいて、赤色スイッチ部４３１には、オン及びオフを繰り返すパルス信号からなる駆動信号ＳＤが入力される。よって、赤色スイッチ部４３１はオン及びオフを繰り返すため、図７（ｆ）に示すように、赤色光源１１ｒに流れる電流ＩＲは複数のパルスＰから構成される。一例として、図１１（ｅ）に示すように、赤色光源１１ｒを点灯させるサブフレームＦｓ２においては、赤色光源１１ｒに流れる電流ＩＲは３つのパルスＰ１〜Ｐ３から構成される。光源１１の輝度は、光源１１に供給される電流値の大きさと、電流Ｉが流される給電時間（換言するとパルスＰの数）とに基づき決まる。なお、図１０の例では、各光源１１ｒ，１１ｇ，１１ｂには、供給電流ＩＲ，ＩＧ，ＩＢとして低輝度用の電流Ｉｌが供給されている。
【００４４】
図６に示すように、光源駆動回路４３０は、上述したスイッチ部４３１，４３２，４３３に加えて、各光源１１ｒ，１１ｇ，１１ｂに対応して設けられる逆起電力回路５３ｒ，５３ｇ，５３ｂを備える。各逆起電力回路５３ｒ，５３ｇ，５３ｂは、それぞれ電荷部の一例であるインダクタ（コイル）５１ｒ，５１ｇ，５１ｂと、ダイオード５２ｒ，５２ｇ，５２ｂと、を備える。各インダクタ５１ｒ，５１ｇ，５１ｂは、対応する光源１１ｒ，１１ｇ，１１ｂのアノード側に直列接続されている。また、各ダイオード５２ｒ，５２ｇ，５２ｂは、対応するインダクタ５１ｒ，５１ｇ，５１ｂ及び光源１１ｒ，１１ｇ，１１ｂに並列接続される。
ダイオード５２ｒ，５２ｇ，５２ｂは、そのカソード側がインダクタ５１ｒ，５１ｇ，５１ｂと給電部３００との間に接続され、アノード側が光源１１ｒ，１１ｇ，１１ｂのカソード側に接続される。ダイオード５２ｒ，５２ｇ，５２ｂは、スイッチ部４３１，４３２，４３３がオン又はオフされる際、インダクタ５１ｒ，５１ｇ，５１ｂが生成する逆起電力を、対応する光源１１ｒ，１１ｇ，１１ｂに供給する。
【００４５】
（第２の制御部２００の処理手順）
次に、図９（ａ），（ｂ）のフローチャートを参照しつつ、第２の制御部２００の処理手順について説明する。なお、第２の制御部２００は、図９（ａ），（ｂ）のフローチャートに係る処理と同時に、表示素子３０に関する制御も行っている。
【００４６】
図９（ａ）に示すように、第２の制御部２００は、表示期間Ｆａにおいて、第１の制御部１００を通じて外部照度信号（調光信号）ＳＬを認識し、その外部照度信号ＳＬの値がメモリ（図示略）に予め記憶される閾値Ｔｈ以上であるか否かを判断する（Ｓ１０１）。光源１１の輝度は、外部照度信号ＳＬに対応した輝度に設定される。
第２の制御部２００は、車両２の周囲が明るい場合、外部照度信号ＳＬの値が閾値Ｔｈ以上である旨判断し（Ｓ１０１でＹＥＳ）、高輝度モードに移行した（Ｓ１０２）後、図９（ａ）に係るフローチャートを終了する。一方、第２の制御部２００は、車両２の周囲が暗い場合、外部照度信号ＳＬの値が閾値Ｔｈ未満である旨判断し（Ｓ１０１でＮＯ）、低輝度モードに移行した（Ｓ１０３）後、図９（ａ）に係るフローチャートを終了する。図９（ａ）に係るフローチャートは、表示期間Ｆａにおいて繰り返し実行される。
ここで、光源１１の輝度が低いほど、光源１１に供給される電流Ｉが小さくなるため、電流Ｉに対するリップルＲｐが占める割合が大きくなる。これにより、リップルＲｐによる光源１１の輝度への影響が大きくなる。閾値Ｔｈは、リップルＲｐによる光源１１の輝度への影響が大きいと予想される外部照度信号ＳＬの値に基づき設定される。
【００４７】
第２の制御部２００は、低輝度モードにあるとき、図９（ｂ）のフローチャートに沿って、インダクタ５１ｒ，５１ｇ，５１ｂに蓄えられた電荷を放出する電荷放出処理を実行する。
具体的には、第２の制御部２００は、第１のサブフレームＦｓ１（図１１参照）においてブランク期間Ｔｂｌが開始するのを待つ（ステップＳ２０１；ＮＯ）。ブランク期間Ｔｂｌは、インダクタ５１ｒ，５１ｇ，５１ｂに蓄えられた電荷が全て放出されるのに要する時間以上に設定されている。図１１の例では、第１のサブフレームＦｓ１は青色光源１１ｂを点灯させるためのサブフレームＦｓである。
【００４８】
第２の制御部２００は、第１のサブフレームＦｓ１の時刻ｔａにおいてブランク期間Ｔｂｌが開始した旨判別すると（ステップＳ２０１；ＹＥＳ）、イネーブル信号ＥＮ（Ｒ−ＥＮ，Ｇ−ＥＮ，Ｂ−ＥＮ）及び表示素子３０をオフとする（ステップＳ２０２）。そして、第２の制御部２００は、強制発光信号ＳＧをオンする（ステップＳ２０３）。第２の制御部２００は、ブランク期間Ｔｂｌが終了するまで（ステップＳ２０４；ＮＯ）、イネーブル信号ＥＮ及び表示素子３０をオフした状態に（ステップＳ２０２）、かつ強制発光信号ＳＧをオンした状態に維持する（ステップＳ２０３）。
図１１の例では、第２の制御部２００は、ブランク期間Ｔｂｌが開始すると青色イネーブル信号Ｂ−ＥＮをオン状態からオフ状態に切り替え、表示素子３０をオフに維持するとともに、ブランク期間Ｔｂｌの開始時刻ｔａから所定時間経過後の時刻ｔｂに強制発光信号ＳＧをオンにする。
【００４９】
第２の制御部２００は、ブランク期間Ｔｂｌが終了した旨判別したとき（ステップＳ２０４；ＹＥＳ）、図９（ｂ）に示すフローチャートに係る処理を終了する。当該フローチャートに係る処理は、サブフレームＦｓ毎に繰り返し実行される。すなわち、図１１の例では、第１のサブフレームＦｓ１の次の第２のサブフレームＦｓ２においても図９（ｂ）に示すフローチャートに係る処理が実行される。
【００５０】
高輝度モードにおいては、第２の制御部２００は、ブランク期間Ｔｂｌを設けず、サブフレームＦｓのブランク期間Ｔｂｌに相当する期間においてもイネーブル信号ＥＮをオンかつ表示素子３０をオンとすることで光源１１の高輝度を実現している。
【００５１】
（光源駆動装置５における電荷を放出する際の作用）
次に、第１及び第２のサブフレームＦｓ１，Ｆｓ２における光源駆動装置５の作用について説明する。図１０に示すように、第１のサブフレームＦｓ１は青色光源１１ｂを点灯させるサブフレームＦｓである。第２のサブフレームＦｓ２は、第１のサブフレームＦｓ１の次の赤色光源１１ｒを点灯させるサブフレームＦｓである。
【００５２】
図１１（ｅ）に示すように、第１のサブフレームＦｓ１において青色光源１１ｂに電流ＩＢが供給されることで、第１のサブフレームＦｓ１のブランク期間Ｔｂｌが開始する時刻ｔａにおいてはインダクタ５１ｂには電荷が蓄えられている。図１１（ｄ）に示すように、ブランク期間Ｔｂｌにおいて、第２の制御部２００は、赤色強制発光信号ＳＧＲをオンすることにより赤色スイッチ部４３１をオンし、これにより、図６に示すように、インダクタ５１ｂに蓄えられた電荷を赤色光源１１ｒ及び赤色スイッチ部４３１を経てグランドに流す。この際、図１１（ｅ）の破線で示すように、リップルＲｐが重畳するパルスＰ０が電流ＩＲとして赤色光源１１ｒに流れる。このとき、赤色光源１１ｒは発光するものの、表示素子３０がオフされているため赤色光源１１ｒからの光がスクリーン５０に到達せず、視認者４によって視認されない。第２の制御部２００は、第２のサブフレームＦｓ２において、第１のサブフレームＦｓ１のブランク期間ＴｂｌのパルスＰ０を含めず規定の数（本例では３つ）だけのパルスＰ１〜Ｐ３を電流ＩＲとして赤色光源１１ｒに供給する。これにより、第２のサブフレームＦｓ２において、インダクタ５１ｂに蓄えられた電荷がリップルＲｐとして電流ＩＲに重畳することが抑制され、表示画像Ｍを所望の輝度で表示させることができる。
第２の制御部２００は、第１のサブフレームＦｓ１と同様に、第２のサブフレームＦｓ２のブランク期間Ｔｂｌにおいては、緑色強制発光信号ＳＧＧをオンすることにより緑色スイッチ部４３２をオンし、これにより、第２のサブフレームＦｓ２においてインダクタ５１ｒに蓄えられた電荷を緑色光源１１ｇ及び緑色スイッチ部４３２を経てグランドに流す。同様に、第２の制御部２００は、緑色光源１１ｇを点灯させるサブフレームＦｓのブランク期間Ｔｂｌにおいては、青色強制発光信号ＳＧＢをオンし、これにより、インダクタ５１ｇに蓄えられた電荷を青色光源１１ｂ及び青色スイッチ部４３３を経てグランドに流す。
なお、上述したリップルＲｐは、インダクタ５１ｒ，５１ｇ，５１ｂに蓄えられた電荷による影響が支配的ではあるが、光源１１の寄生容量に蓄えられた電荷による影響も存在すると考えられる。すなわち、上述したリップルＲｐは、光源１１の寄生容量に蓄えられた電荷によるものも含まれていてもよい。この場合、光源１１の寄生容量は電荷部に相当する。
【００５３】
第２の制御部２００は、第２のサブフレームＦｓ２のブランク期間Ｔｂｌにおいては表示素子３０をオン状態からオフ状態に切り替える。これにより、表示期間Ｆａにおける表示素子３０のオン期間がブランク期間Ｔｂｌだけ短くなる。第２の制御部２００は、図１０に示すように、非表示期間Ｆｂにおいて、表示素子３０のオン及びオフに係る周期Ｔｃ毎に、そのブランク期間Ｔｂｌと同一の時間に設定される追加オン期間Ｔａｄだけ表示素子３０のオン期間を長く設定する。
【００５４】
（効果）
以上、説明した一実施形態によれば、以下の効果を奏する。
【００５５】
（１）ＨＵＤ装置１は、電流Ｉを供給する給電部３００と、給電部３００からの電流Ｉを受けて、それぞれ異なる色の光を発する複数の光源１１ｒ，１１ｇ，１１ｂと、各光源１１ｒ，１１ｇ，１１ｂに電流Ｉが供給される際に、電流Ｉにより電荷が蓄えられるインダクタ５１ｒ，５１ｇ，５１ｂと、光を視認者４に到達する方向に反射するオン状態と光を視認者４に到達しない方向に反射するオフ状態との間で切り替わる複数のマイクロミラー３０ａを有する表示素子３０と、複数の光源１１ｒ，１１ｇ，１１ｂのうち選択した一つの光源に給電部３００からの電流Ｉを供給することで選択した一つの光源を発光させ、制御周期であるフレームＦを構成するサブフレームＦｓ毎に選択した一つの光源を順次切り替えるフィールドシーケンシャル方式にて複数の光源１１ｒ，１１ｇ，１１ｂから発される光から所望の色の照明光Ｃを生成するとともに、マイクロミラー３０ａを通じて照明光Ｃのうち表示画像Ｍに対応した光を反射させる第１及び第２の制御部１００，２００と、を備える。第１及び第２の制御部１００，２００は、選択した一つの光源１１を発光させるためのサブフレームＦｓに移行する前に、マイクロミラー３０ａをオフ状態にしつつ、複数の光源１１ｒ，１１ｇ，１１ｂのうち何れか一つに電流Ｉを供給することでインダクタ５１ｒ，５１ｇ，５１ｂに蓄えられた電荷を放出する電荷放出処理を行う。
この構成によれば、電荷放出処理においては、複数の光源１１ｒ，１１ｇ，１１ｂのうち何れか一つを発光させつつ、発光された光をマイクロミラー３０ａをオフ状態にすることで視認者４に到達しない方向に反射させる。電荷放出処理によってインダクタ５１ｒ，５１ｇ，５１ｂに蓄えられる電荷が放出されるため、その電荷に起因して光源１１ｒ，１１ｇ，１１ｂへ供給される電流ＩにリップルＲｐが重畳することで表示画像Ｍの輝度が上昇することが抑制される。よって、光源１１ｒ，１１ｇ，１１ｂを所望の輝度で点灯させることができる。これにより、ＨＵＤ装置１における画像Ｍの階調表示を良好にすることができる。
【００５６】
（２）第１及び第２の制御部１００，２００は、表示画像Ｍにおいて要求される輝度が低くなるにつれて、１つのサブフレームＦｓに占める、選択した一つの光源１１に電流Ｉを供給する給電期間（オン時間Ｔｏｎに相当）を短くなるように調整し、表示画像Ｍにおいて要求される輝度が閾値Ｔｈ以下となった場合に、サブフレームＦｓのうち給電期間が終了した後のブランク期間Ｔｂｌに電荷放出処理を行う。この給電期間はサブフレームＦｓと同時に開始する。
一般的に、各光源１１ｒ，１１ｇ，１１ｂに供給される電流ＩＲ，ＩＧ，ＩＢが小さいほど、その電流ＩＲ，ＩＧ，ＩＢに対するリップルＲｐが占める割合が大きくなる。このため、特に、光源１１の輝度が低いときには、リップルＲｐが輝度に与える影響は大きくなる。
上記構成によれば、光源１１ｒ，１１ｇ，１１ｂの輝度が低い場合（低輝度モードの場合）にのみ電荷放出処理が実行されるため、無駄なく効率的に電荷放出処理が実行される。
また、光源１１ｒ，１１ｇ，１１ｂの輝度が高い場合（高輝度モードの場合）には、第１及び第２の制御部１００，２００による電荷放出処理が不要となることから、第１及び第２の制御部１００，２００の処理負担を低減することができる。さらに、光源１１ｒ，１１ｇ，１１ｂの輝度が高い場合には、電荷放出処理のためのブランク期間Ｔｂｌが不要となるため、光源１１ｒ，１１ｇ，１１ｂの輝度を最大限に高めることが可能となる。
【００５７】
（３）第１及び第２の制御部１００，２００は、非表示期間ＦｂとともにフレームＦを構成する表示期間Ｆａにおいては、表示素子３０のマイクロミラー３０ａをオン状態及びオフ状態の間で切り替えつつ光源１１ｒ，１１ｇ，１１ｂを順次発光させることで表示画像Ｍを生成する。また、第１及び第２の制御部１００，２００は、非表示期間Ｆｂにおいては、マイクロミラー３０ａをオン状態及びオフ状態の間で切り替えつつ光源１１ｒ，１１ｇ，１１ｂを消灯する。第１及び第２の制御部１００，２００は、表示期間Ｆａにおいて電荷放出処理によりマイクロミラー３０ａをオン状態からオフ状態に切り替えたブランク期間Ｔｂｌだけ非表示期間Ｆｂにマイクロミラー３０ａをオン状態とする追加オン期間Ｔａｄを追加する。これにより、フレームＦにおけるマイクロミラー３０ａがオン状態にある期間及びマイクロミラー３０ａがオフ状態にある期間の比率を予め設定された設定値（例えば１：１）に保つことができ、表示素子３０の寿命を延ばすことができる。
【００５８】
（４）第１及び第２の制御部１００，２００は、サブフレームＦｓである第１のサブフレームＦｓ１において３つの光源１１ｒ，１１ｇ，１１ｂのうち青色光源１１ｂを点灯させ、第１のサブフレームＦｓ１の次のサブフレームＦｓである第２のサブフレームＦｓ２において３つの光源１１ｒ，１１ｇ，１１ｂのうち赤色光源１１ｒを点灯させる。また、第１及び第２の制御部１００，２００は、第１のサブフレームＦｓ１における電荷放出処理により赤色光源１１ｒに電流ＩＲを供給することで赤色光源１１ｒを点灯させる。
この構成によれば、図６に示すように、赤色光源１１ｒを点灯させる第２のサブフレームＦｓ２の前に、赤色光源１１ｒに対応するインダクタ５１ｒに蓄えられた電荷を、他のインダクタ５１ｇ，５１ｂを経ることなく、短い時間でグランドに流すことができる。
【００５９】
（変形例）
なお、上記実施形態は、これを適宜変更した以下の形態にて実施することができる。
【００６０】
上記実施形態において、第１の制御部１００の制御内容の一部を、第２の制御部２００が実行してもよいし、反対に、第２の制御部２００の制御内容の一部を、第１の制御部１００が実行してもよい。また、第１及び第２の制御部１００，２００は一つの制御部として構成されてもよい。
【００６１】
上記実施形態においては、第２の制御部２００は、ブランク期間Ｔｂｌにおいて、スイッチ部４３１〜４３３の何れか一つをオンすることで光源１１ｒ，１１ｇ，１１ｂの何れか一つを発光していたが、スイッチ部４３１〜４３３のうち２つ以上をオンすることで光源１１ｒ，１１ｇ，１１ｂのうち２つ以上を発光させてもよい。
例えば、第２の制御部２００は、ブランク期間Ｔｂｌにおいて、３つの光源１１ｒ，１１ｇ，１１ｂを発光させる場合、赤色ＯＲ回路４２５、緑色ＯＲ回路４２６及び青色ＯＲ回路４２７に異なる強制発光信号ＳＧＲ，ＳＧＧ，ＳＧＢを出力する必要がなく、同一の強制発光信号を出力すればよい。
【００６２】
上記実施形態においては、図１１に示すように、第２の制御部２００は、ブランク期間Ｔｂｌの開始時刻ｔａから所定時間経過後の時刻ｔｂに強制発光信号ＳＧをオンしていたが、ブランク期間Ｔｂｌの開始と同時に強制発光信号ＳＧをオンすることで光源１１を発光させてもよい。これにより、ブランク期間Ｔｂｌにおける光源１１の発光時間を長く設定することができ、より確実にインダクタ５１ｒ，５１ｇ，５１ｂの電荷を放出することができる。
【００６３】
上記実施形態においては、第２の制御部２００は、低輝度モードにあるときのみ、ブランク期間Ｔｂｌに光源１１を発光させることでインダクタ５１ｒ，５１ｇ，５１ｂに蓄えられる電荷を放出していたが、光源１１の輝度に関わらず、インダクタ５１ｒ，５１ｇ，５１ｂに蓄えられる電荷を放出してもよい。この場合、第２の制御部２００は、２つのサブフレームＦｓの間にブランク期間Ｔｂｌを設定し、このブランク期間Ｔｂｌにおいて光源１１を発光させることでインダクタ５１ｒ，５１ｇ，５１ｂに蓄えられる電荷を放出する。この場合、ブランク期間Ｔｂｌは、サブフレームＦｓとは異なる期間に設定される。よって、第２の制御部２００は、光源１１の輝度が高い場合、例えばサブフレームＦｓの全期間に亘って光源１１に電流Ｉが供給された場合でも、ブランク期間Ｔｂｌにおいてインダクタ５１ｒ，５１ｇ，５１ｂに蓄えられる電荷を放出することができる。
【００６４】
上記実施形態において、光源１１ｒ，１１ｇ，１１ｂは、それぞれ独立した光源１１として構成されているが、共通の光源１１から複数の色の光を出射するものであってもよい。また、光源１１は、複数色の光を出射するものであればよく、２色のみで構成されてもよく、また、４色（白色も含む）以上で構成されていてもよい。
【００６５】
上記実施形態では、第２の制御部２００は、外部照度信号ＳＬの値に基づき高輝度モード及び低輝度モードの何れかに移行していたが、これに限られず、ＨＵＤ装置１に外光強度を取得する照度センサ（図示しない）を設け、このＨＵＤ装置１に設けた照度センサからの信号に基づき高輝度モード及び低輝度モードの何れかに移行してもよい。また、ＨＵＤ装置１や車両２に設けられた図示しない操作部を視認者４が操作することで、上記モードを移行してもよい。また、車両２のライトをオン・オフするスイッチの操作に応じて、上記モードを移行してもよい。
【００６６】
上記実施形態では、ＨＵＤ装置１は車載されていたが、車載用に限らず、飛行機、船等の乗り物に搭載されてもよい。また、ＨＵＤ装置１からの表示光Ｌはウインドシールド３に投射されていたが、専用のコンバイナに投射されてもよい。また、上記実施形態においては、本発明に係る表示装置をＨＵＤ装置１に適用したが、屋内又は屋外で使用されるプロジェクタ等の表示装置に適用してもよい。
【符号の説明】
【００６７】
１…ＨＵＤ装置
２…車両
３…ウインドシールド
４…視認者
５…光源駆動装置
６…車両ＥＣＵ
７…照度センサ
１０…照明装置
１１…光源
１１ｒ…赤色光源
１１ｇ…緑色光源
１１ｂ…青色光源
１２…回路基板
１３…合波部
１４…輝度ムラ低減部
１５…透過膜
２０…照明光学系
３０…表示素子
３０ａ…マイクロミラー
４０…投射光学系
５０…スクリーン
５１ｒ，５１ｇ，５１ｂ…インダクタ
５２ｒ，５２ｇ，５２ｂ…ダイオード
５３ｒ，５３ｇ，５３ｂ…逆起電力回路
６１…平面鏡
６２…凹面鏡
７０…筐体
７１…透光部
１００…第１の制御部
２００…第２の制御部
３００…給電部
４００…光源駆動部
４１０…比較回路
４２０…論理回路
４２１…第一ＡＮＤ回路
４２２…赤色ＡＮＤ回路
４２３…緑色ＡＮＤ回路
４２４…青色ＡＮＤ回路
４２５…赤色ＯＲ回路
４２６…緑色ＯＲ回路
４２７…青色ＯＲ回路
４３０…光源駆動回路
４３１…赤色スイッチ部
４３２…緑色スイッチ部
４３３…青色スイッチ部
５００…光強度検出部
【図１】
2017167272.tif 000003
【図２】
2017167272.tif 000004
【図３】
2017167272.tif 000005
【図４】
2017167272.tif 000006
【図５】
2017167272.tif 000007
【図６】
2017167272.tif 000008
【図７】
2017167272.tif 000009
【図８】
2017167272.tif 000010
【図９】
2017167272.tif 000011
【図１０】
2017167272.tif 000012
【図１１】
2017167272.tif 000013
【図１２】
2017167272.tif 000014
【図１３】
2017167272.tif 000015